(57)【要約】【課題】  片手で簡単に操作可能で、且つ音声認識が正しく行われない場合であっても誤操作することなく、正確な操作による入力処理が可能な補助入力装置及びこれを備えた情報処理装置を提供する。【解決手段】  本発明の補助入力装置は、音声を用いて情報を入力する際に用いられるオーダ処理装置１０に適用される補助入力装置であって、音声入力の開始を示す音声入力ボタン２３と、音声認識処理に必要な複数の機能が実行可能な第１操作ボタン２４、第２操作ボタン２５と、上記音声入力ボタン２３の操作前後で、上記第１操作ボタン２４及び第２操作ボタン２５に異なる機能を割り当てる機能割当手段としての制御部１０１とを備えている。【選択図】  図１
2005346187.tif 000002
【特許請求の範囲】
【請求項１】
音声を用いて情報を入力する際に用いられる補助入力装置であって、
音声入力の開始を示す音声入力ボタンと、
音声認識処理に必要な複数の機能が実行可能な操作ボタンと、
上記音声入力ボタンの操作前後で、上記操作ボタンに異なる機能を割り当てる機能割当手段とを備えていることを特徴とする補助入力装置。
【請求項２】
上記機能割当手段は、
上記音声入力ボタンが操作される前は、上記操作ボタンに入力すべき項目の選択を行うカーソルキーとしての第１の機能を割り当てると共に、上記音声入力ボタンが操作された後は、上記操作ボタンに音声認識の結果得られた認識候補から目的とする候補を選択する選択キーとしての第２の機能を割り当てることを特徴とする請求項１に記載の補助入力装置。
【請求項３】
上記音声入力ボタン及び上記操作ボタンは、装置本体を持つ手で操作可能な位置に配置されていることを特徴とする請求項１に記載の補助入力装置。
【請求項４】
上記音声入力ボタン及び上記操作ボタンの配設位置は、装置本体の側面であることを特徴とする請求項３に記載の補助入力装置。
【請求項５】
上記音声入力ボタン及び上記操作ボタンの配設位置は、装置本体の前面であることを特徴とする請求項３に記載の補助入力装置。
【請求項６】
上記音声入力ボタン及び上記操作ボタンの配設位置は、装置本体の背面であることを特徴とする請求項３に記載の補助入力装置。
【請求項７】
上記音声入力ボタン及び上記操作ボタンは、近接して配置されていることを特徴とする請求項１〜６の何れか１項に記載の補助入力装置。
【請求項８】
上記操作ボタンは、複数個設けられていることを特徴とする請求項１〜７の何れか１項に記載の補助入力装置。
【請求項９】
操作ボタンが２個である場合、上記音声入力ボタンと上記２つの操作ボタンは、操作ボタン、音声入力ボタン、操作ボタンの順に配置されることを特徴とする請求項８に記載の補助入力装置。
【請求項１０】
操作ボタンが２個である場合、音声入力ボタンが操作された後、一方の操作ボタンには、音声認識による候補を選択する機能が割り当てられる共に、他方の操作ボタンには、選択した候補を決定する機能が割り当てられることを特徴とする請求項８に記載の補助入力装置。
【請求項１１】
音声を用いて情報を入力する際に用いられる補助入力装置であって、
音声入力の開始を示す音声入力ボタンと、
音声認識処理に必要な複数の操作が実行可能なジョグダイヤルと、
上記音声入力ボタンの操作前後で、上記ジョグダイヤルに異なる機能を割り当てる機能割当手段とを備えていることを特徴とする補助入力装置。
【請求項１２】
上記機能割当手段は、
上記音声入力ボタンが操作される前は、上記ジョグダイヤルに入力すべき項目の選択を行うカーソルキーとしての第１の機能を割り当てると共に、上記音声入力ボタンが操作された後は、上記ジョグダイヤルに音声認識の結果得られた認識候補から目的とする候補を選択する選択キーとしての第２の機能を割り当てることを特徴とする請求項１１に記載の補助入力装置。
【請求項１３】
上記音声入力ボタン及び上記ジョグダイヤルは、装置本体を持つ手で操作可能な位置に配置されていることを特徴とする請求項１１に記載の補助入力装置。
【請求項１４】
上記音声入力ボタン及び上記ジョグダイヤルの配設位置は、装置本体の側面であることを特徴とする請求項１３に記載の補助入力装置。
【請求項１５】
上記音声入力ボタン及び上記前ジョグダイヤルの配設位置は、装置本体の前面であることを特徴とする請求項１３に記載の補助入力装置。
【請求項１６】
上記音声入力ボタン及び上記ジョグダイヤルの配設位置は、装置本体の背面であることを特徴とする請求項１３に記載の補助入力装置。
【請求項１７】
上記音声入力ボタン及び上記ジョグダイヤルは、近接して配置されていることを特徴とする請求項１１〜１６の何れか１項に記載の補助入力装置。
【請求項１８】
音声入力ボタンが操作された後、上記ジョグダイヤルの回転操作には、音声認識による候補を選択する機能が割り当てられる共に、上記ジョグダイヤルのプッシュ操作には、選択した候補を決定する機能が割り当てられることを特徴とする請求項１１〜１７の何れか１項に記載の補助入力装置。
【請求項１９】
音声を用いて情報を入力する際に用いられる補助入力装置であって、
音声入力の開始を示す音声入力ボタンとしての機能と、
音声認識処理に必要な複数の操作を実行するための操作ボタンとしての機能とを有するジョグダイヤルと、
上記ジョグダイヤルのプッシュ操作には、上記音声入力ボタンとしての機能を割り当てると共に、上記ジョグダイヤルの回転操作には、上記操作ボタンとしての機能を割り当てる機能割当手段とを備えていることを特徴とする補助入力装置。
【請求項２０】
上記機能割当手段は、
上記ジョグダイヤルのプッシュ操作前は、上記ジョグダイヤルの回転操作に入力すべき項目の選択を行うカーソルキーとしての第１の機能を割り当てると共に、上記ジョグダイヤルのプッシュ操作後は、上記ジョグダイヤルの回転操作に音声認識の結果得られた認識候補から目的とする候補を選択する選択キーとしての第２の機能を割り当てることを特徴とする請求項１９に記載の補助入力装置。
【請求項２１】
上記ジョグダイヤルは、装置本体を持つ手で操作可能な位置に配置されていることを特徴とする請求項１９に記載の補助入力装置。
【請求項２２】
上記ジョグダイヤルの配設位置は、装置本体の側面であることを特徴とする請求項２１に記載の補助入力装置。
【請求項２３】
上記ジョグダイヤルの配設位置は、装置本体の前面であることを特徴とする請求項２１に記載の補助入力装置。
【請求項２４】
上記ジョグダイヤルの配設位置は、装置本体の背面であることを特徴とする請求項２１に記載の補助入力装置。
【請求項２５】
上記ジョグダイヤルがプッシュ操作された後、上記ジョグダイヤルの一回転方向には、音声認識による候補を選択する機能が割り当てられる共に、上記ジョグダイヤルの他の回転方向には、選択した候補を決定する機能が割り当てられることを特徴とする請求項１９〜２４の何れか１項に記載の補助入力装置。
【請求項２６】
請求項１、１１、１９の何れか１項に記載の補助入力装置を装置本体に設けたことを特徴とする情報処理装置。
【請求項２７】
上記装置本体において、上記補助入力装置を配置した面とは異なる位置に、該装置本体の電源をオン／オフするための電源スイッチが配置されていることを特徴とする請求項２６に記載の情報処理装置。
【請求項２８】
上記補助入力装置の配設位置は、装置本体の前面、裏面、側面の何れかで有り、上記電源スイッチの配設位置は、該装置本体の上部側面または下部側面であることを特徴とする請求項２７に記載の情報処理装置。
【請求項２９】
上記装置本体は見開き可能な２枚扉体構造であって、
上記補助入力装置は、一方の扉体に配設されると共に、上記電源スイッチは、該扉体のヒンジ部の上部または下部に配置したことを特徴とする請求項２７に記載の情報処理装置。
【請求項３０】
少なくとも１つの補助入力手段を備えた補助入力装置が装置本体に設けられた情報処理装置において、
上記装置本体において、上記補助入力装置を配置した面とは異なる位置に、該装置本体の電源をオン／オフするための電源スイッチが配置されていることを特徴とする情報処理装置。
【請求項３１】
上記補助入力装置の配設位置は、装置本体の前面、裏面、側面の何れかで有り、上記電源スイッチの配設位置は、該装置本体の上部側面または下部側面であることを特徴とする請求項３０に記載の情報処理装置。
【請求項３２】
上記装置本体は見開き可能な２枚扉体構造であって、
上記補助入力装置は、一方の扉体に配設されると共に、上記電源スイッチは、該扉体のヒンジ部の上部または下部に配置したことを特徴とする請求項３０に記載の情報処理装置。
【発明の詳細な説明】
【技術分野】
【０００１】
本発明は、音声認識による項目入力を制御する補助入力装置、及びこの補助入力装置を備えた情報処理装置に関するものである。
【背景技術】
【０００２】
従来、オーダ入力装置として一般的に使用されている装置は、見開き可能な２枚扉体構造となっている。図２１に示すように、オーダ入力装置４０は、一方の扉体５０に表示部５１とキー５２を設け、他方の扉体６０にタッチキー６１を設けており、このタッチキー６１を押圧することで端末にメニューを入力し、表示部５１で入力情報を表示するのが一般的である。
【０００３】
しかしながら、オーダ入力装置４０は携帯する必要があるため装置は小さくなければならない。このため、表示画面の大きさや固定メニューキーの数が制限される。
【０００４】
このような理由から１つのタッチキー６１には複数のメニューが割り当てられるようになっている。これにより、メニューの数がキーの数より多くても問題はなくなるが、メニュー選択の際、所望のメニューを選択するためには画面を切り替えるキーが必要となる。従って、この切り替えキーを使って所望のメニューを入力可能な状態にしてから選択する必要がある。
【０００５】
一方、飲食店などではメニュー選択というオーダデータの入力に加え、オーダ数の入力や選択、客層や客数の入力、他のテーブルのオーダ照会、空席の照会などのオーダデータを処理する場合もある。これらの操作を１つの端末で操作させるには非常に困難となるので、操作が大変複雑となってしまう。
【０００６】
したがって、利用者がこの装置の操作に習熟していなければ、入力時間の短縮が図れないだけでなく、正確に入力されない可能性もある。
【０００７】
そこで、特許文献１には、上記の問題を解決するために、利用者の習熟度に関わらず入力操作を容易に行うことができるオーダ入力端末（オーダ入力装置）が開示されている。このオーダ入力装置では、音声認識手段を設け、音声入力された音声をオーダデータとして利用するとともに、オーダデータに基づいて音声合成を行い、次の操作・指示を給仕人に与える構成となっている。音声認識を用いてメニューを選択すれば、複数回のキー操作を行って多くのメニューから注文の商品を選択する必要がなく、メニューを入力するための時間の短縮が図れる。
【特許文献１】特開２００２−３１２４５１号公報（公開日２００２年１０月２５日）
【発明の開示】
【発明が解決しようとする課題】
【０００８】
しかしながら、特許文献１に開示されたオーダ入力装置のように、音声認識による入力機能を追加した装置には以下のような問題がある。
【０００９】
例えば音声を用いて情報入力を行う際に、認識を誤った場合の候補選択や再発声等における操作上の問題がある。
【００１０】
候補選択が必要な場合、すなわち音声入力した単語が「チキンサンド」であるときに、認識候補が、図２２に示すように表示されるような場合であり、音声入力した結果が候補内の最上位ではなく２位以下に存在する場合等である。この場合、候補内から所望の候補を選択するという操作がさらに必要となる。このため、認識候補を選択するためのキーを新たに設置しなければならない。
【００１１】
再発声が必要な場合、例えば音声入力した結果が候補内に存在しない場合などである。この場合、認識結果を取り消して再度入力（発声入力）するという操作がさらに必要となる。この場合にも、認識結果を取り消すためのキーを新たに設置しなければならない。
【００１２】
上記の問題はいずれの場合も通常の場合よりも操作が複雑となるため、両手で操作しなければならない。
【００１３】
以上のように、従来のオーダ入力装置では、音声認識を用いてメニューを選択するので、音声認識が正しく行われた場合には、複数回のキー操作を行って多くのメニューから注文の商品を選択する必要がなく、メニューを入力するための時間の短縮が図れるという効果を奏するものの、音声認識が正しく行われない場合には、逆に候補の削除等の操作手順が多くなり、誤操作を招く虞がある。
【００１４】
本発明は、上記の各課題に鑑みなされたものであり、その目的は、片手で簡単に操作可能で、且つ音声認識が正しく行われない場合であっても誤操作を招くことなく、正確な操作による入力処理が可能な補助入力装置及びこれを備えた情報処理装置を提供することにある。
【課題を解決するための手段】
【００１５】
本発明に係る補助入力装置は、上記課題を解決するために、音声を用いて情報を入力する際に用いられる補助入力装置であって、音声入力の開始を示す音声入力ボタンと、音声認識処理に必要な複数の機能が実行可能な操作ボタンと、上記音声入力ボタンの操作前後で、上記操作ボタンに異なる機能を割り当てる機能割当手段とを備えていることを特徴としている。
【００１６】
上記の構成によれば、一つの操作ボタンに対して、音声入力ボタンの操作前後で、異なる機能が割り当てられるので、装置に設ける操作ボタンを少なくできる。これにより、各種の操作ボタンを操作者が片手で持って操作できる位置に配置することが可能となるので、音声認識前の操作と音声認識後の操作とを同じ操作ボタンで明確に区別できる。
【００１７】
従って、片手で簡単に操作可能で、且つ、音声認識が正しく行われない場合であっても操作ボタンの誤動作を招く虞がなくなるので、正確な操作による入力処理が可能な補助入力装置を提供することができるという効果を奏する。
【００１８】
具体的には、上記機能割当手段によって、上記音声入力ボタンが操作される前は、上記操作ボタンに入力すべき項目の選択などを行うカーソルキーとしての第１の機能を割り当てると共に、上記音声入力ボタンが操作された後は、上記操作ボタンに音声認識の結果得られた認識候補から目的とする候補を選択する選択キーとしての第２の機能を割り当てるようにすればよい。
【００１９】
このように、音声入力前か後かによって操作ボタンが押された際の動作を切り替えることにより、音声入力前は、第１の機能によって、カーソルキーとして入力すべき項目を選択することができ、音声入力の後は、第２の機能によって、認識候補を選択することができる。この結果、音声入力ボタンおよび操作ボタンのみの操作でメニューを簡単に入力することができるという効果を奏する。
【００２０】
また、上記音声入力ボタン及び上記操作ボタンは、装置本体を持つ手で操作可能な位置に配置されているのが好ましい。
【００２１】
さらに、上記音声入力ボタン及び上記操作ボタンの配設位置は、装置本体の側面であることが好ましい。
【００２２】
また、上記音声入力ボタン及び上記操作ボタンの配設位置は、装置本体の前面であることが好ましい。
【００２３】
また、上記音声入力ボタン及び上記操作ボタンの配設位置は、装置本体の背面であることが好ましい。
【００２４】
さらに、上記音声入力ボタン及び上記操作ボタンは、近接して配置されていることが好ましい。
【００２５】
また、上記操作ボタンは、複数個設けられていることが好ましい。
【００２６】
上記操作ボタンが２個である場合、上記音声入力ボタンと上記２つの操作ボタンは、操作ボタン、音声入力ボタン、操作ボタンの順に配置されることが好ましい。
【００２７】
この場合、２つの操作ボタンに項目移動の機能を割り当てる場合、音声入力ボタンを中間に配置した方が、音声入力ボタンがホームポジション的な役割をして操作しやすい。しかも、音声入力ボタンを介して２つの操作ボタンが配置されているので、２つの操作ボタンを押し間違うという誤操作を低減させることができる。
【００２８】
また、操作ボタンが２個である場合、音声入力ボタンが操作された後、一方の操作ボタンには、音声認識による候補を選択する機能が割り当てられる共に、他方の操作ボタンには、選択した候補を決定する機能が割り当てられることが好ましい。
【００２９】
本発明の他の補助入力装置は、上記課題を解決するために、音声を用いて情報を入力する際に用いられる補助入力装置であって、音声入力の開始を示す音声入力ボタンと、音声認識処理に必要な複数の操作が実行可能なジョグダイヤルと、上記音声入力ボタンの操作前後で、上記ジョグダイヤルに異なる機能を割り当てる機能割当手段とを備えていることを特徴としている。
【００３０】
上記の構成によれば、ジョグダイヤルの回転方向に別々の機能を割り当てれば、操作ボタンを２つあるいはそれ以上設ける必要がなくなるので、装置本体に配置させるボタンの数を少なくすることが可能となる。
【００３１】
また、音声入力前か後かによってジョグダイヤルの動作を切り替えることにより、音声入力前は、カーソルキーとして入力すべき項目を選択することができ、音声入力の後は認識候補を選択することができる。この結果、音声入力ボタンおよびジョグダイヤルのみの操作でメニューを簡単に入力することができる。
【００３２】
具体的には、上記機能割当手段によって、上記音声入力ボタンが操作される前は、上記ジョグダイヤルに入力すべき項目の選択などを行うカーソルキーとしての第１の機能を割り当てると共に、上記音声入力ボタンが操作された後は、上記ジョグダイヤルに音声認識の結果得られた認識候補から目的とする候補を選択する選択キーとしての第２の機能を割り当てるようにすればよい。
【００３３】
また、上記構成の補助入力装置と同様に、上記音声入力ボタン及び上記ジョグダイヤルは、装置本体を持つ手で操作可能な位置に配置されていることが好ましい。
【００３４】
片手操作という観点からは、上記音声入力ボタン及び上記ジョグダイヤルの配設位置は、装置本体の側面であることが好ましい。
【００３５】
また、上記音声入力ボタン及び上記前ジョグダイヤルの配設位置は、装置本体の前面であることが好ましい。
【００３６】
さらに、上記音声入力ボタン及び上記ジョグダイヤルの配設位置は、装置本体の背面であることが好ましい。
【００３７】
また、上記音声入力ボタン及び上記ジョグダイヤルは、近接して配置されていることが好ましい。
【００３８】
音声入力ボタンが操作された後、上記ジョグダイヤルの回転操作には、音声認識による候補を選択する機能が割り当てられる共に、上記ジョグダイヤルのプッシュ操作には、選択した候補を決定する機能が割り当てられることが好ましい。
【００３９】
この場合、ジョグダイヤルの回転操作は認識候補を選択させるために用い、ジョグダイヤルのプッシュ操作は認識候補を確定するために用いるようにするとよい。
【００４０】
これらの構成によれば、音声入力ボタンとジョグダイヤルを入力装置側面に配置するので、入力端末を片手で持ち、音声入力ボタンとジョグダイヤルのみの操作で、音声による項目入力を行うことができる。
【００４１】
本発明の補助入力装置は、上記課題を解決するために、音声を用いて情報を入力する際に用いられる補助入力装置であって、音声入力の開始を示す音声入力ボタンとしての機能と、音声認識処理に必要な複数の操作を実行するための操作ボタンとしての機能とを有するジョグダイヤルと、上記ジョグダイヤルのプッシュ操作には、上記音声入力ボタンとしての機能を割り当てると共に、上記ジョグダイヤルの回転操作には、上記操作ボタンとしての機能を割り当てる機能割当手段とを備えていることを特徴としている。
【００４２】
上記の構成によれば、音声入力前か後かによってジョグダイヤルの回転操作の動作を切り替えることにより、音声入力前は、カーソルキーとして入力すべき項目を選択することができ、音声入力の後は認識候補を選択することができる。この結果、ジョグダイヤルのみの操作でメニューを簡単に入力することができる。
【００４３】
具体的には、上記機能割当手段によって、上記ジョグダイヤルのプッシュ操作前は、上記ジョグダイヤルの回転操作に入力すべき項目の選択などを行うカーソルキーとしての第１の機能を割り当てると共に、上記ジョグダイヤルのプッシュ操作後は、上記ジョグダイヤルの回転操作に音声認識の結果得られた認識候補から目的とする候補を選択する選択キーとしての第２の機能を割り当てるようにすればよい。
【００４４】
この場合も、片手での操作性を向上させるには、上記ジョグダイヤルは、装置本体を持つ手で操作可能な位置に配置されていることが好ましい。
【００４５】
上記ジョグダイヤルの配設位置は、装置本体の側面であることが好ましい。
【００４６】
上記ジョグダイヤルの配設位置は、装置本体の前面であることが好ましい。
【００４７】
上記ジョグダイヤルの配設位置は、装置本体の背面であることが好ましい。
【００４８】
また、上記ジョグダイヤルがプッシュ操作された後、上記ジョグダイヤルの一回転方向には、音声認識による候補を選択する機能が割り当てられる共に、上記ジョグダイヤルの他の回転方向には、選択した候補を決定する機能が割り当てられることが好ましい。
【００４９】
本発明の情報処理装置は、上記構成の補助入力装置を装置本体に設けたことを特徴としている。
【００５０】
これにより、情報処理装置における音声入力及びボタン操作による入力動作を確実に行わせることができるので、操作性の向上を図ることができる。
【００５１】
しかも、上記装置本体において、上記補助入力装置を配置した面とは異なる位置に、該装置本体の電源をオン／オフするための電源スイッチを配置すれば、操作ボタンを操作中に電源スイッチを押してしまうという誤動作を無くすことができる。
【００５２】
具体的な上記補助入力装置の配設位置は、装置本体の前面、裏面、側面の何れかで有り、上記電源スイッチの配設位置は、該装置本体の上部側面または下部側面であることが好ましい。
【００５３】
さらに、上記装置本体は見開き可能な２枚扉体構造であって、上記補助入力装置は、一方の扉体に配設されると共に、上記電源スイッチは、該扉体のヒンジ部の上部または下部に配置したことが好ましい。
【００５４】
また、少なくとも１つの補助入力手段を備えた補助入力装置が装置本体に設けられた情報処理装置であって、上記装置本体において、上記補助入力装置を配置した面とは異なる位置に、該装置本体の電源をオン／オフするための電源スイッチが配置されていてもよい。
【００５５】
このように、一般の補助入力装置を備えた情報処理装置においても、電源スイッチを、上記装置本体において、上記補助入力装置を配置した面とは異なる位置に配置すれば、操作ボタンを操作中に電源スイッチを押してしまうという誤動作を無くすことができるという効果を奏する。
【００５６】
具体的な上記補助入力装置の配設位置は、装置本体の前面、裏面、側面の何れかで有り、上記電源スイッチの配設位置は、該装置本体の上部側面または下部側面であることが好ましい。
【００５７】
さらに、上記装置本体は見開き可能な２枚扉体構造であって、上記補助入力装置は、一方の扉体に配設されると共に、上記電源スイッチは、該扉体のヒンジ部の上部または下部に配置したことが好ましい。
【発明の効果】
【００５８】
本発明に係る補助入力装置は、以上のように、音声入力の開始を示す音声入力ボタンと、音声認識処理に必要な複数の機能が実行可能な操作ボタンと、上記音声入力ボタンの操作前後で、上記操作ボタンに異なる機能を割り当てる機能割当手段とを備えていることで、片手で簡単に操作可能で、且つ、音声認識が正しく行われない場合であっても操作ボタンの誤動作を招く虞がなくなるので、正確な操作による入力処理が可能な補助入力装置を提供することができるという効果を奏する。
【発明を実施するための最良の形態】
【００５９】
本発明の実施の形態について説明すれば、以下の通りである。
【００６０】
なお、本実施の形態では、本発明の補助入力装置を備えた情報処理装置として、飲食店等で使用されるオーダ処理装置について説明する。
【００６１】
〔実施の形態１〕
図２は、本発明の補助入力装置を備えたオーダ処理装置１０の外観を説明するための図である。この図では、オーダ処理装置１０は、見開き可能な２枚の扉体構造となっており、扉体が開いた状態の入力装置を示している。
【００６２】
すなわち、上記オーダ処理装置１０は、図２に示すように、本体装置を見開き可能な一方扉体２０と他方扉体３０から形成される扉体構造となっている。
【００６３】
上記一方扉体２０には、オーダメニュー等を表示するための表示部２１と、数量を入力する、あるいはモードを選択するためのキー２２と、音声入力のオン／オフを制御するための音声入力ボタン２３と、入力すべき項目を選択する、あるいは認識候補を選択するための第１操作ボタン２４および第２操作ボタン２５と、音声入力のためのマイクロホン２６とが配置されている。
【００６４】
なお、図２の例では、マイクロホン２６は内蔵されているようにしているが、マイクロホンは外付けされてもよい。マイクロホンを外付けする場合に、本体に受信器を設けて、無線で接続してもよい。
【００６５】
また、上記他方扉体３０の内面には、押圧操作で、オーダメニューを入力できるタッチキー３１が配置されている。
【００６６】
本実施の形態における補助入力装置は、上記音声入力ボタン２３、第１操作ボタン２４、第２操作ボタン２５で構成され、図２に示すように、装置本体を構成する一方扉体２０の側面に、第１操作ボタン２４、音声入力ボタン２３、第２操作ボタン２５の順に近接して配置されている。
【００６７】
キー２２は、キー及びキーボードのコントローラなどで構成し、数量を入力する、あるいはモードの切り替えを操作する。タッチキー３１は、タッチパネルとそのコントローラなどで構成し、押圧操作してメニューを入力する。
【００６８】
表示部２１は、例えば注文フォームなどを表示する機能を有し、液晶パネルや表示ドライバなどから構成される。
【００６９】
上記構成のオーダ処理装置１０は、図１に示すように、１台のサーバ２００に対して通信できるようになっているが、一般には、複数の入力装置（オーダ処理装置１０）が１台のサーバ２００に対して通信できるオーダデータ処理システムとして構成される。なお、図１において、オーダデータ処理システムを構成するプリンタや会計手段などの他の構成要素は省略されている。
【００７０】
上記オーダ処理装置１０は、図１に示すように、キー２２、音声入力ボタン２３、第１操作ボタン２４、第２操作ボタン２５、マイクロホン２６等の入力手段からの入力信号に基づいて各種処理を行う制御手段としての制御部１０１を備えている。
【００７１】
上記制御部１０１には、表示部２１が接続されると共に、上記サーバ２００との通信に使用する通信部１０４が接続されている。さらに、上記制御部１０１には、オーダ処理装置１０で使用する各種データ（オーダメニューや語彙セット、入力項目フィールド等）を記憶する記憶部１００が接続され、該制御部１０１によって必要に応じて各種データが読み出されるようになっている。ここで、語彙セットとは、音声認識の対象となる語句を音声認識の際に参照可能な表記で記述した認識用辞書のことで、装置内のメモリ（記憶部１００）等に保持するようにすればよい。本実施の形態は、音声認識の対象語句は、メニューなど商品名、数量、操作コマンドなどである。
【００７２】
上記制御部１０１は、後述する音声ボタン２３、第１操作ボタン２４、第２操作ボタン２５に対して、音声入力前後において機能を割り当てる機能割当手段としても機能している。
【００７３】
上記マイクロホン２６は、音声入力部１０２、音声認識部１０３を介して上記制御部１０１に接続されている。
【００７４】
上記のマイクロホン２６は、操作者からの音声信号を入力し、音声入力部１０２に供給するデバイスである。
【００７５】
上記音声入力ボタン２３は、上記マイクロホン２６からの音声データの取り込みを開始または終了など、音声入力を制御するためのスイッチである。第１操作ボタン２４、第２操作ボタン２５は、音声入力前は入力すべき項目を選択する、音声入力の後は認識候補を選択するための制御ボタンである。
【００７６】
上記音声入力部１０２は、Ａ／Ｄ変換器などで構成され、上記マイクロホン２６により集音されたアナログの音声信号をデジタル化する。
【００７７】
上記音声認識部１０３は、上記音声入力部１０２から出力された音声信号を処理し、上記記憶部１００に記憶された語彙セットと照合し、音声を認識して、メニューの商品名、数量やコマンドを上記制御部１０１に出力するようになっている。
【００７８】
ここで、上記構成のオーダ処理装置１０の処理動作の流れについて図３に示すフローチャートを参照しながら以下に説明する。
【００７９】
なお、本実施の形態では、図４（ａ）（ｂ）に示すように、音声入力前（以下、通常モードと称する）と、音声入力後（以下、候補選択モードと称する）で、音声入力ボタン２３、第１操作ボタン２４、第２操作ボタン２５の機能を割り当てている。
【００８０】
すなわち、図４（ａ）では、通常モードとして、音声入力ボタン２３には、音声入力開始のスイッチとしての機能が割り当てられ、第１操作ボタン２４には、一つ前の入力項目に移動させる機能が割り当てられ、第２操作ボタン２５には、次の入力項目に移動させる機能が割り当てられている状態を示している。
【００８１】
また、図４（ｂ）では、候補選択モードとして、音声入力ボタン２３には、再入力開始のスイッチとしての機能が割り当てられ、第１操作ボタン２４には、認識候補を確定させる機能が割り当てられ、第２操作ボタン２５には、次候補を選択させる機能が割り当てられている状態を示している。
【００８２】
まず、操作者は、ステップＳ１０１で、オーダ入力のアプリケーションが起動したら、入力モードを通常モードに設定する。
【００８３】
続いて、ステップＳ１０２で、操作者が、ボタン、キーの操作を行うまで、待機状態になり、操作者が行った、ボタンまたはキーの操作を受け付けるとステップＳ１０３に進む。
【００８４】
ステップＳ１０３で、音声入力ボタン２３が押されたかどうかを判断する。音声入力ボタン２３が押された場合にはステップＳ１０４に進み、そうでない場合にはステップＳ１０９に進む。
【００８５】
ステップＳ１０４で、音声入力が開始され、音声認識処理が行われる。
【００８６】
続いて、ステップＳ１０５で、入力モードが候補選択モードか否かを判断する。候補選択モードである場合には、ステップＳ１０６に進み、そうでない場合にはステップＳ１０７に進む。
【００８７】
ステップＳ１０６で、再発声とみなし、現在の入力項目フィールドに表示されている前の認識候補を消去する。
【００８８】
ステップＳ１０７で、現在の入力項目フォールドに認識候補を表示する。
【００８９】
ステップＳ１０８で、入力モードを候補選択モードに設定する。ステップＳ１０２に戻り、ボタン、キーの入力待ちとなる。
【００９０】
一方、ステップＳ１０３において、音声入力ボタンが操作されていないと判断された場合、ステップＳ１０９で、入力モードが候補選択モードか否かを判断する。候補選択モードである場合には、ステップＳ１１０に進み、そうでない場合にはステップＳ１１２に進む。
【００９１】
ステップＳ１１０で、「候補選択」の機能が割り当てられた第２操作ボタン２５が押されたかどうかを判断する。第２操作ボタン２５が押された場合には、ステップＳ１１１に進み、そうでない場合にはステップＳ１１２に進む。
【００９２】
ステップＳ１１１で、次候補を選択し表示する。このとき、複数の認識候補の最後の候補が表示されている場合には、最初の候補を表示するようにする。ステップＳ１０２に戻り、ボタン、キーの入力待ちとなる。
【００９３】
ステップＳ１１２で、「決定」の機能が割り当てられた第１操作ボタン２４が押されたかどうかを判断する。第１操作ボタン２４が押された場合には、ステップＳ１１３に進み、そうでない場合にはステップＳ１１６に進む。
【００９４】
ステップＳ１１３で、現在表示されている認識候補を入力項目の入力として確定する。
【００９５】
ステップＳ１１４で、入力モードを通常入力モードに設定し、ステップＳ１０２に戻り、ボタン、キーの入力待ちとなる。
【００９６】
ステップＳ１１５で、「↑」や「↓」のカーソル移動が割り当てられた第１操作ボタン２４または第２操作ボタン２５が押されたかどうかを判断する。第１操作ボタン２４または第２操作ボタン２５が押された場合には、ステップＳ１１７に進み、そうでない場合にはステップＳ１１６に進む。
【００９７】
ステップＳ１１６で、ボタン、キーに割り当てられたそれぞれの操作を実行する。ステップＳ１０２に戻り、ボタン、キーの入力待ちとなる。
【００９８】
ステップＳ１１７で、操作された「↑」または「↓」に基づいて、現在の入力項目から１つ前、または次の入力項目にカーソルを移動する。
【００９９】
次に、音声認識を用いたオーダ入力処理の流れについて図５に示すフローチャートを参照しながら以下に説明する。ここでは、オーダ入力処理の基本的な動作を説明する。したがって、処理の中断や処理の退避については、説明を省略する。
【０１００】
オーダ入力モードでの処理が開始すると、ステップＳ２０１で表示部２１には、オーダ入力画面が表示される。
【０１０１】
続いて、ステップＳ２０２では、この状態で、入力装置は、操作者が、ボタン、キー、またはタッチキーのいずれかの操作を行うまで、待機状態になる。次に、操作者が、ボタン、キー、またはタッチキーのいずれかの操作を行う。
【０１０２】
そして、ステップＳ２０３では、操作者が行った操作がモード切り替えキーを押したかどうかを判断する。モード切り替えキーが押された場合は、他モードでの操作を行う。操作者が行った操作がモード切り替えキーを押していない場合、ステップＳ２０４に進み、音声入力ボタン２３が押されたかどうかが判断される。
【０１０３】
音声入力ボタン２３が押されていない場合は、ステップＳ２０５に進み、キーまたはタッチキーによりメニューが選択され、オーダが追加される（Ｓ２０６）。オーダが追加された後は、メニュー入力画面に戻る。
【０１０４】
ステップＳ２０４において、音声入力ボタン２３が押されたことを検出した場合には、ステップＳ２０７に進む。ステップＳ２０７では、音声入力が開始され、音声認識処理が行われる。そして、ステップＳ２０８で、音声認識結果が表示部２１に表示される。
【０１０５】
次いで、ステップＳ２０９では、表示部２１に表示された認識結果を、操作者が確認する。
【０１０６】
ここで、認識結果確認ステップで、入力した音声と一致するメニューがあった場合には、操作者が「決定」に割り当てられた第１操作ボタン２４を押すと、オーダが追加される（Ｓ２０６）。
【０１０７】
一方、認識結果が、複数のメニュー候補である場合には、「候補選択」に割り当てられた第２操作ボタン２５を操作して、その中から所望のメニューを選択し、「決定」に割り当てられた第１操作ボタン２４を押すと、オーダが追加される（Ｓ２０６）。
【０１０８】
また、認識結果として所望のメニューが表示されなかった場合は、操作者は、再度音声入力ボタン２３を押して音声入力を行う、キーまたはタッチキーによりメニューを選択することによって、再入力を行うことになる。
【０１０９】
なお、最後に行うメニュー確認やその際のメニュー変更について簡単に動作を説明する。前記の図２に示すキーの「確認」が押されると、メニュー確認モードに移る。ここで、給仕人は、リストに表示されているメニューを順に復唱して、顧客に確認する。この際に、もしオーダの変更が生じた場合、削除するメニューをキー２１のカーソルキー(△、▽)で選択（表示とタッチパネルが一体の場合、指によるタッチでもよい）し、例えばキー２１のクリアキー(Ｃ)により削除するようにしている。また、新たに追加したい場合、例えば追加キーを押して図２の画面に戻るようにしておき、入力画面でメニューの追加を行うようにしてもよい。
【０１１０】
以上説明したように、本実施の形態における補助入力装置を備えたオーダ処理装置１０は、音声入力ボタン２３と２つの操作ボタン（第１操作ボタン２４、第２操作ボタン２５）の操作のみで、音声による項目入力を行うことができる。また、補助入力装置を装置本体の側面に配置することで、さらに、片手で容易に操作することができるという効果を奏する。
【０１１１】
なお、本発明では、上記のように、音声入力ボタン２３、第１操作ボタン２４、第２操作ボタン２５からなる補助入力装置は、装置本体の側面（一方扉体２０の側面）のみならず、図６に示すように、オーダ処理装置１０の前面あるいは、図７に示すように、オーダ処理装置１０の背面に配置するようにしてもよい。
【０１１２】
〔実施の形態２〕
本発明の他の実施の形態について説明すれば、以下の通りである。
【０１１３】
図８に示すように、本実施の形態にかかるオーダ処理装置１１０は、前記実施の形態１のオーダ処理装置１０の第１操作ボタン２４、第２操作ボタン２５を、ジョグダイヤル２７に置き換えた構成となっている。他の構成については、前記実施の形態１に記載のオーダ処理装置１０と同じであるので、詳細な説明は省略する。
【０１１４】
音声入力ボタン２３及びジョグダイヤル２７からなる補助入力装置は、図８に示すように、装置本体である一方扉体２０の側面に隣り合って配置されている。
【０１１５】
図９（ａ）（ｂ）は、本実施の形態における補助入力装置の通常モードおよび候補選択モードにおける音声入力ボタン２３およびジョグダイヤル２７の機能を説明する図である。
【０１１６】
すなわち、図９（ａ）では、通常モードとして、音声入力ボタン２３には、音声入力開始のスイッチとしての機能が割り当てられ、ジョグダイヤル２７には、一つ前の入力項目に移動させる機能と、次の入力項目に移動させる機能とが割り当てられている状態を示している。この場合、ジョグダイヤル２７を回転させて一つ前の入力項目に移動させる機能と、次の入力項目に移動させる機能とを切り換えるようになっている。
【０１１７】
また、図９（ｂ）では、候補選択モードとして、音声入力ボタン２３には、再入力開始のスイッチとしての機能が割り当てられ、ジョグダイヤル２７には、認識候補を確定させる機能と、次候補を選択させる機能とが割り当てられている状態を示している。この場合、ジョグダイヤル２７を回転させて認識候補を確定させる機能と、次候補を選択させる機能とを切り換えるようになっている。
【０１１８】
本実施の形態における補助入力装置を備えたオーダ処理装置１１０の動作は、前記実施の形態１の動作において、操作ボタン部分をジョグダイヤルに置き換えたものと同じである。
【０１１９】
上記オーダ処理装置１１０においても、前記実施の形態１における補助入力装置と同様に、音声入力ボタン２３とジョグダイヤル２７の操作のみで、音声による項目入力を行うことができる。また、補助入力装置をオーダ処理装置１１０本体の側面に配置することで、片手で容易に操作することができる。
【０１２０】
また、上記補助入力装置は、図１０に示すように、一方扉体２０上に、音声入力ボタン２３とジョグダイヤル２７とを近接して配置していれば、図８に示すように、装置本体の側面に配置してもよいし、図１１に示すように装置本体の前面に配置してもよく、さらに、図１２に示すように装置本体の背面に配置してもよい。ここで、装置本体とは、一方扉体２０を示すが、他方扉体３０であってもよい。
【０１２１】
〔実施の形態３〕
本発明のさらに他の実施の形態について説明すれば、以下の通りである。
【０１２２】
図１３に示すように、本実施の形態にかかるオーダ処理装置２１０は、前記実施の形態１のオーダ処理装置１０の音声入力ボタン２３、第１操作ボタン２４、第２操作ボタン２５を、ジョグダイヤル２７に置き換えた構成となっている。他の構成については、前記実施の形態１に記載のオーダ処理装置１０と同じであるので、詳細な説明は省略する。
【０１２３】
上記のように、本実施の形態における補助入力装置は、ジョグダイヤル２７のみで構成され、図１３に示すように、装置本体の側面に配置されている。
【０１２４】
図１４（ａ）（ｂ）は、本実施の形態における補助入力装置の通常モードおよび候補選択モードにおけるジョグダイヤル２７の機能を説明する図である。
【０１２５】
すなわち、図１４（ａ）では、通常モードとして、ジョグダイヤル２７に対して、音声入力開始のスイッチとしての機能と、一つ前の入力項目に移動させる機能と、次の入力項目に移動させる機能とが割り当てられている状態を示している。この場合、ジョグダイヤル２７を押し込むことで、音声入力開始のスイッチとしての機能を実現させ、該ジョグダイヤル２７を回転させて一つ前の入力項目に移動させる機能と、次の入力項目に移動させる機能とを切り換えるようになっている。
【０１２６】
また、図１４（ｂ）では、候補選択モードとして、ジョグダイヤル２７に対して、再入力開始のスイッチとしての機能と、認識候補を確定させる機能と、次候補を選択させる機能とが割り当てられている状態を示している。この場合、ジョグダイヤル２７を回転させて認識候補を確定させる機能と、次候補を選択させる機能とを切り換えるようになっている。
【０１２７】
本実施の形態における補助入力装置を備えたオーダ処理装置２１０の動作は、前記実施の形態１の動作において、音声入力ボタンおよび操作ボタン部分をジョグダイヤルに置き換えたものと同じである。
【０１２８】
また、前記実施の形態１における補助入力装置と同様に、本実施の形態における補助入力装置を備えたオーダ処理装置２１０は、ジョグダイヤル２７の操作のみで、音声による項目入力を行うことができる。また、補助入力装置を装置本体の側面に配置することで、片手で容易に操作することができる。
【０１２９】
また、上記補助入力装置は、図１５に示すように、一方扉体２０上に、ジョグダイヤル２７を配置していれば、図１３に示すように、装置本体の側面に配置してもよいし、図１６に示すように装置本体の前面に配置してもよく、さらに、図１７に示すように装置本体の背面に配置してもよい。ここで、装置本体とは、一方扉体２０を示すが、他方扉体３０であってもよい。
【０１３０】
ところで、図２０に示すように、従来の２枚扉体構造のオーダ処理装置４０では、一方の扉体５０に表示部５１と十字キー３６２、電源スイッチ３６３、操作ボタン３６４を設けて、表示部５１を保護するための他方の扉体６０、２つの扉体をつなぐヒンジ部３６５からなるものが一般的である。
【０１３１】
このように、操作ボタン３６４と電源スイッチ３６３との位置が隣接していると、利用者が誤って電源スイッチ３６３を押して操作中に電源を切ってしまう虞がある。
【０１３２】
そこで、本実施の形態では、図１８や図１９に示すように、補助入力装置を構成する音声入力ボタン２３、第１操作ボタン２４、第２操作ボタン２５と、電源スイッチ３１０とを離して配置するようにすればよい。
【０１３３】
図１８は、前記実施の形態１に示すオーダ処理装置１０において、見開き可能な一方扉体２０と他方扉体３０との間にヒンジ部３３０が形成され、このヒンジ部３３０の近傍の一方扉体２０の下部に電源スイッチ３１０が形成された例を示している。これにより、操作者が操作ボタン（第１操作ボタン２４等）の補助入力装置を操作していて誤って電源スイッチ３１０を押してしまうのを防止することができる。また、各種操作ボタンや電源スイッチを側面に配置することにより、片手で操作したり、装置本体を小型化することもできる。
【０１３４】
また、上記電源スイッチ３１０の配設位置は、上述のように、一方扉体２０の下部に限定されるものではなく、該一方扉体２０の上部であってもよい。
【０１３５】
さらに、図１９に示すように、ヒンジ部３３０の下部に電源スイッチ３１０を配置してもよい。この場合も、電源スイッチ３１０の配設位置は、ヒンジ部３３０の下部に限定されるものではなく、該ヒンジ部３３０の上部であってもよい。
【０１３６】
以上のことから、本発明にかかる補助入力装置を備えた入力装置は、主に（１）数個のボタンまたはジョグダイヤルの操作のみで、音声による項目入力が可能、（２）補助入力装置を入力装置を持つ手で操作可能な入力装置側面、前面または背面のいずれかの位置に配置するため、ユーザが簡単な操作により音声による項目の入力が行えるので、キーやペン入力等で項目の入力を行う場合に比べ入力時間を短縮できる。また、片手で操作可能なようにしたので、他方の手で別のことを行うことも可能となる。
【０１３７】
上記の各実施の形態では、情報処理装置としてオーダ処理装置について説明したが、本発明の補助入力装置を適用した情報処理装置としては、小型の端末(ＰＤＡ、業務端末、携帯電話、リモコン等)に音声認識機能を搭載して、音声認識を用いて項目を入力したり、データを検索したりするようなアプリケーションが実行可能な情報処理装置であればよい。
【０１３８】
また、本願発明では、音声認識を前提としているので、音声認識の精度を上げるために、図１に示す音声認識部１０３において、学習機能を持たせるようにすればよい。
【０１３９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１４０】
本発明にかかる補助入力装置は、特に、操作者が片手で操作することが想定されている装置、例えば小型の端末(ＰＤＡ、業務端末、携帯電話、リモコン等)に音声認識機能を搭載して、音声認識を用いて項目を入力したり、データを検索したりするようなアプリケーションが実行可能な情報処理装置に適用可能である。
【図面の簡単な説明】
【０１４１】
【図１】本発明の実施形態を示すものであり、補助入力装置としてのオーダ処理装置の要部構成を示すブロック図である。
【図２】図１に示したオーダ処理装置の概略構成図である。
【図３】図１に示したオーダ処理装置の処理全体の流れを示すフローチャートである。
【図４】図１に示したオーダ処理装置に備えられた操作ボタンの機能を説明する図であり、（ａ）は音声入力前の機能を説明する図であり、（ｂ）は音声入力後の機能を説明する図である。
【図５】図１に示したオーダ処理装置のオーダ処理の流れを示すフローチャートである。
【図６】図１に示したオーダ処理装置の他の概略構成図である。
【図７】図１に示したオーダ処理装置のさらに他の概略構成図である。
【図８】本発明の他の実施形態にかかるオーダ処理装置の概略構成図である。
【図９】図８に示したオーダ処理装置に備えられた操作ボタンとしてのジョグダイヤルの機能を説明する図であり、（ａ）は音声入力前の機能を説明する図であり、（ｂ）は音声入力後の機能を説明する図である。
【図１０】ジョグダイヤルと音声入力ボタンとの配置関係を示す図である。
【図１１】図１０に示したジョグダイヤルと音声入力ボタンとの配置関係の一例を示すオーダ処理装置の概略構成図である。
【図１２】図１０に示したジョグダイヤルと音声入力ボタンとの配置関係の他の例を示すオーダ処理装置の概略構成図である。
【図１３】本発明のさらに他の実施形態にかかるオーダ処理装置の概略構成図である。
【図１４】図１３に示したオーダ処理装置に備えられた音声入力ボタンと操作ボタンとを兼用したジョグダイヤルの機能を説明する図であり、（ａ）は音声入力前の機能を説明する図であり、（ｂ）は音声入力後の機能を説明する図である。
【図１５】ジョグダイヤルの配設位置を示す図である。
【図１６】図１５に示したジョグダイヤルの配設位置の一例を示すオーダ処理装置の概略構成図である。
【図１７】図１５に示したジョグダイヤルの配設位置の他の例を示すオーダ処理装置の概略構成図である。
【図１８】図１に示したオーダ処理装置における電源スイッチの配設位置の一例を示す概略構成図である。
【図１９】図１に示したオーダ処理装置における電源スイッチの配設位置の他の例を示す概略構成図である。
【図２０】従来のオーダ処理装置における電源スイッチと操作ボタンとの配設位置を示す概略構成図である。
【図２１】従来のオーダ処理装置の概略構成図である。
【図２２】音声入力によりオーダ処理を行うオーダ処理装置における認識候補の表示例を示す図である。
【符号の説明】
【０１４２】
１０  オーダ処理装置（情報処理装置）
２０  一方扉体
２１  表示部
２２  キー
２３  音声入力ボタン（補助入力装置）
２４  第１操作ボタン（補助入力装置）
２５  第２操作ボタン（補助入力装置）
２６  マイクロホン
２７  ジョグダイヤル（補助入力装置）
３０  他方扉体
３１  タッチキー
４０  オーダ処理装置
５０  扉体
５１  表示部
６０  扉体
１００  記憶部
１０１  制御部（機能割当手段）
１０２  音声入力部
１０３  音声認識部
１０４  通信部
１１０  オーダ処理装置（情報処理装置）
２００  サーバ
２１０  オーダ処理装置
３１０  電源スイッチ
３３０  ヒンジ部
【図１】
2005346187.tif 000003
【図２】
2005346187.tif 000004
【図３】
2005346187.tif 000005
【図４】
2005346187.tif 000006
【図５】
2005346187.tif 000007
【図６】
2005346187.tif 000008
【図７】
2005346187.tif 000009
【図８】
2005346187.tif 000010
【図９】
2005346187.tif 000011
【図１０】
2005346187.tif 000012
【図１１】
2005346187.tif 000013
【図１２】
2005346187.tif 000014
【図１３】
2005346187.tif 000015
【図１４】
2005346187.tif 000016
【図１５】
2005346187.tif 000017
【図１６】
2005346187.tif 000018
【図１７】
2005346187.tif 000019
【図１８】
2005346187.tif 000020
【図１９】
2005346187.tif 000021
【図２０】
2005346187.tif 000022
【図２１】
2005346187.tif 000023
【図２２】
2005346187.tif 000024